(57)【要約】【課題】  カメラの持ち込みを禁止する施設で容易にカメラ機能のみを無効にすることができるカメラ付き携帯機器を得る。【解決手段】  被写体を撮影する撮像部と、この撮像部による撮影指示を入力する撮像指示部と、撮影を拒否する撮影拒否信号を外部機器から受信する受信部と、撮影許可情報又は撮影拒否情報を記憶する記憶部と、上記受信部の受信した上記撮影拒否信号に基づいて記憶部に撮影拒否情報を記憶する制御部とを備え、この制御部は、上記撮像指示部から撮影開始の指示が入力されたとき、上記記憶部に上記撮影許可情報が記憶されていれば上記撮像部による撮影を開始し、上記記憶部に上記撮影拒否情報が記憶されていれば上記撮像部による撮影を開始しないよう制御するようにした。【選択図】          図１
2006196964.tif 000002
【特許請求の範囲】
【請求項１】
被写体を撮影する撮像部と、
この撮像部による撮影指示を入力する撮像指示部と、
撮影を拒否する撮影拒否信号を外部機器から受信する受信部と、
撮影許可情報又は撮影拒否情報を記憶する記憶部と、
上記受信部の受信した上記撮影拒否信号に基づいて記憶部に撮影拒否情報を記憶する制御部とを備え、
この制御部は、上記撮像指示部から撮影開始の指示が入力されたとき、上記記憶部に上記撮影許可情報が記憶されていれば上記撮像部による撮影を開始し、上記記憶部に上記撮影拒否情報が記憶されていれば上記撮像部による撮影を開始しないよう制御する
ことを特徴とするカメラ付き携帯機器。
【請求項２】
受信部は、撮影を許可する撮影許可信号を外部機器から受信し、
制御部は、上記受信部の受信した上記撮影許可信号に基づいて記憶部に撮影許可情報を記憶する
ことを特徴とするカメラ付き携帯機器。
【請求項３】
撮影拒否信号には設定パスワードを含み、撮影許可信号には解除パスワードを含み、
さらに、受信部の受信した上記設定パスワードを記憶するパスワード記憶部を備え、
制御部は、上記受信部が上記撮影拒否信号を受信すると、記憶部に撮影拒否情報を記憶するとともに上記撮影拒否信号に含まれる上記設定パスワードを上記パスワード記憶部に記憶し、上記受信部が上記撮影許可信号を受信すると、上記撮影許可信号に含まれる解除パスワードを上記パスワード記憶部に記憶した上記設定パスワードと比較し、上記設定パスワードと上記解除パスワードとが一致すれば上記記憶部に上記撮影許可情報を記憶させる
ことを特徴とする請求項２記載のカメラ付き携帯機器。
【請求項４】
被写体を撮影する撮像部と、
この撮像部による撮影指示を入力する撮像指示部と、
撮影を拒否する設定パスワード及び撮影を許可する解除パスワードを入力する入力部と、
この入力部から入力された設定パスワードを記憶するパスワード記憶部と、
撮影許可情報及び撮影拒否情報を記憶する記憶部と、
上記入力部から上記設定パスワードが入力されると、上記記憶部に上記撮影拒否情報を記憶するとともに上記パスワード記憶部に上記設定パスワードを記憶し、上記入力部から解除パスワードが入力されると、上記解除パスワードを上記パスワード記憶部に記憶した上記設定パスワードと比較し、上記設定パスワードと上記解除パスワードとが一致すれば上記記憶部に上記撮影許可情報を記憶させる制御部とを備え、
この制御部は、上記撮像指示部から撮影開始の指示が入力されたとき、上記記憶部に上記撮影許可情報が記憶されていれば上記撮像部による撮影を開始し、上記記憶部に上記撮影拒否情報が記憶されていれば上記撮像部による撮影を開始しないよう制御する
ことを特徴とするカメラ付き携帯機器。
【請求項５】
入力部は、撮影を拒否する撮影拒否時間を入力し、
さらに、時間を計測する計時部を備え、
制御部は、記憶部に撮影拒否情報が記憶されたときに上記時間入力部から入力した上記撮影拒否時間の計測を上記計時部に開始させ、上記撮影拒否時間が経過すると上記記憶部に撮影許可情報を記憶させる
ことを特徴とする請求項１又は４に記載のカメラ付き携帯機器。
【請求項６】
撮影を拒否する撮影拒否信号を送信する送信部を備えた撮影可否送信機器、
及び被写体を撮影する撮像部と、
この撮像部による撮影指示を入力する撮像指示部と、
撮影を拒否する撮影拒否信号を外部機器から受信する受信部と、
撮影許可情報又は撮影拒否情報を記憶する記憶部と、
上記受信部の受信した上記撮影拒否信号に基づいて記憶部に撮影拒否情報を記憶する制御部を備え、
この制御部は、上記撮像指示部から撮影開始の指示が入力されたとき、上記記憶部に上記撮影許可情報が記憶されていれば上記撮像部による撮影を開始し、上記記憶部に上記撮影拒否情報が記憶されていれば上記撮像部による撮影を開始しないよう制御するカメラ付き携帯機器
からなることを特徴とする撮影制限システム。
【発明の詳細な説明】
【技術分野】
【０００１】
この発明は、カメラ機能を有するカメラ付き携帯機器に関する。
【背景技術】
【０００２】
近年、カメラ機能の付いた携帯機器の持ち込みを禁止する企業や施設が増えている。このような場合、例えば、カメラ付き携帯電話も持ち込むことができなくなるため、通話やメールなどカメラ機能以外の機能も使うことができなくなってしまう。
【０００３】
カメラ機能を制限する従来技術として、暗証番号処理を実施することで課金等を伴い得る回線接続を含む通信モード動作の利用を、暗証番号を知らない第三者に対して制限でき、不正使用を事前に防止できるようにした電子カメラがある（例えば、特許文献１参照）。
【０００４】
また、別の従来技術として、仕様の異なる複数のビデオカメラユニットを選択的に着脱し、かつ装着されたビデオカメラユニットの仕様を識別して内部の動作を切り替えることができる携帯型情報通信端末装置がある（例えば、特許文献２参照）。
【０００５】
【特許文献１】特開２００１−２３８１２４（第２−５頁、図２及び３）
【０００６】
【特許文献２】特開２００１−２４５２６６（第２−４頁、図１）
【発明の開示】
【発明が解決しようとする課題】
【０００７】
特許文献１においては、電子カメラのカメラ機能を通信モード時のみ制限するものであり、通信モード時以外ではカメラ機能が使用できるので、やはりカメラの持ち込みを禁止する施設には持ち込めないという問題点があった。また、通信モード時には電源以外の動作はすべて制限されてしまうので、カメラ機能以外の機能も動作させることができなくなってしまうという問題点があった。
【０００８】
特許文献２においては、カメラ付き携帯電話のビデオカメラユニットを取り外すので、機構が複雑になり、電気回路の追加も必要となるので価格増につながってしまうという問題点があった。
【０００９】
この発明は、上記のような問題点を解消するためになされたもので、カメラの持ち込みを禁止する施設で容易にカメラ機能のみを無効にすることができるカメラ付き携帯機器を得ることを目的とするものである。
【課題を解決するための手段】
【００１０】
この発明に係るカメラ付き携帯機器は、被写体を撮影する撮像部と、この撮像部による撮影指示を入力する撮像指示部と、撮影を拒否する撮影拒否信号を外部機器から受信する受信部と、撮影許可情報又は撮影拒否情報を記憶する記憶部と、上記受信部の受信した上記撮影拒否信号に基づいて記憶部に撮影拒否情報を記憶する制御部とを備え、この制御部は、上記撮像指示部から撮影開始の指示が入力されたとき、上記記憶部に上記撮影許可情報が記憶されていれば上記撮像部による撮影を開始し、上記記憶部に上記撮影拒否情報が記憶されていれば上記撮像部による撮影を開始しないよう制御するものである。
【発明の効果】
【００１１】
この発明に係るカメラ付き携帯機器は、撮像指示部から撮影開始の指示が入力されたとき、記憶部に撮影許可情報が記憶されていれば撮像部による撮影を開始し、上記記憶部に撮影拒否情報が記憶されていれば上記撮像部による撮影を開始しないよう制御するようにしたので、カメラの持ち込みを禁止する施設で容易にカメラ機能のみを無効にすることができる効果がある。
【発明を実施するための最良の形態】
【００１２】
実施の形態１．
図１は、実施の形態１及び２に係るカメラ付き携帯機器としての携帯電話機のブロック構成図である。図において、制御部としてのＵＩ（Ｕｓｅｒ  Ｉｎｔｅｒｆａｃｅ）処理部１は、携帯電話機全体の制御を司るものであり、内部メモリ２に記憶されているプログラムにしたがって動作する。内部メモリ２は携帯電話機内部の記憶領域であり、所有者パスワード保持領域３、第三者パスワード保持領域４、カメラ機能状態保持領域５を有し、ＵＩ処理部１を動作させるプログラムの他に各種のデータを記憶している。所有者パスワード保持領域３は予め所有者により設定されたパスワードを記憶し、パスワード記憶部としての第三者パスワード保持領域４はカメラ機能を無効にする時に設定される設定パスワードとしての第三者パスワードを記憶し、記憶部としてのカメラ機能状態保持領域５はカメラ機能の有効又は無効状態を記憶するものであり、所有者パスワード保持領域３、第三者パスワード保持領域４及びカメラ機能状態保持領域５は不揮発領域である。
外部入出力処理部６は、無線装置７、受信部又は入力部としての通信装置８、撮像部としてのカメラ９などの装置によって携帯電話機外部から入力される情報を、それぞれ無線装置制御部１０、通信装置制御部１１及びカメラ制御部１２を介して受け取り、ＵＩ処理部１へ受け渡す。無線装置制御部１０、通信装置制御部１１、カメラ制御部１２は、ＵＩ処理部１から無線装置７、通信装置８、カメラ９に対する指示にしたがって制御する。
携帯電話機の所有者が、ボタン等の入力のインターフェースを提供する操作部１３を操作してカメラ９による撮影開始を指示すると、ＵＩ処理部１は、外部入出力処理部６を介してカメラ制御部１２にカメラ９を起動させる。
基地局を介して携帯電話機と通信する通信機器１４からの着信を、無線装置７を介して検知すると、無線装置制御部１０は受信した着信信号を、外部入出力処理部６を介してＵＩ処理部１へ出力する。ＵＩ処理部１に着信信号が入力されると、内部メモリ２に格納されている着信音データをスピーカ１５から出力する。また、ＵＩ処理部１は、内部メモリ２に格納されている着信報知画像データをＬＣＤ等の表示のインターフェースを提供する表示部１６から出力する。その後、所有者が操作部１３を操作して着信に応答すると、ＵＩ処理部１の指示により、外部入出力処理部６は無線装置制御部１０に、無線装置７を介して通信機器１４と回線接続するよう制御して通話が可能になる。
通信装置８は、外部機器１７とＢｌｕｅＴｏｏｔｈなどの近距離無線、ＩｒＤＡ（ＩｎｆｒａＲｅｄ  Ｄａｔａ  Ａｓｓｏｃｉａｔｉｏｎ）などの赤外線通信、ＵＳＢ（Ｕｎｉｖｅｒｓａｌ  Ｓｅｒｉａｌ  Ｂｕｓ）などの有線通信などを用いて通信接続される。また、通信装置８は非接触ＩＣ（Ｉｎｔｅｇｒａｔｅｄ  Ｃｉｒｃｕｉｔ）カードでもよく、この場合、外部機器１７はカードの読み書き装置となる。また、外部機器１７がＩＣタグの場合は、通信装置８は受信機となる。
計時部としてのタイマ制御部１８は、時間を計測するものである。
【００１３】
次に、実施の形態１に係る携帯電話機において、カメラの持ち込みを禁止する施設に入場するときのカメラ機能無効化動作を図１、及び図２のフローチャートを用いて説明する。
【００１４】
まず、所有者がカメラの持ち込みを禁止する施設に入場するときに、カメラ機能を無効にしようと入力部としての操作部１３を操作すると、ＵＩ処理部１は表示部１６に『カメラ機能無効化』を含むメニューリストを表示させる。所有者が操作部１３を操作してメニューリストから『カメラ機能無効化』を選択すると、ＵＩ処理部１は表示部１６に『所有者パスワードを入力してください』と表示させて、所有者パスワードの入力待ちになる。ここでは、他人が悪戯で勝手にカメラ機能を無効にすることを防ぐために、所有者パスワードを入力させて、カメラ機能を無効にすることを所有者が了解していることの確認とする。
【００１５】
所有者が操作部１３を操作してパスワードが入力される（ステップ２−１）と、ＵＩ処理部１は、入力されたパスワードと内部メモリ２の所有者パスワード保持領域３に保持されている所有者パスワードを比較する（ステップ２−２）。この比較で、パスワードが一致しなければ、処理を終了する。
ステップ２−２で、所有者パスワードが一致すれば、ＵＩ処理部１は、表示部１６に『第三者パスワードを設定してください』と表示させ、第三者パスワードの入力待ちになる。ここで、第三者パスワードを設定することで、カメラ機能を有効にするために、カメラの持ち込みを禁止する施設が第三者パスワードを入力するまで、所有者が勝手にカメラ機能を有効にすることができなくなる。ここで、第三者とはカメラの持ち込みを禁止する施設を指し、第三者パスワードは第三者が任意に決定するものである。
【００１６】
第三者が操作部１３を操作してパスワードが入力される（ステップ２−３）と、ＵＩ処理部１は、内部メモリ２の第三者パスワード保持領域４に入力されたパスワードを記憶させ（ステップ２−４）、内部メモリ２のカメラ機能状態保持領域５にカメラ機能無効状態を記憶させる（ステップ２−５）。
ＵＩ処理部１は、表示部１６にカメラ機能無効アイコンを表示させ（ステップ２−６）、カメラ機能が無効になっていることを視覚的に表す。これにより、所有者がカメラ機能を無効にしていることを忘れてカメラ撮影をしようとすることを防ぎ、また他人に対してカメラ機能を無効にしていることを明示することができる。
【００１７】
次に、実施の形態１に係る携帯電話機において、カメラ機能無効中の動作を図１、及び図３のフローチャートを用いて説明する。
【００１８】
所有者が撮像指示部としての操作部１３を操作してカメラ機能を起動させたり、撮影を行ったりするための指示が入力されると、ＵＩ処理部１は、内部メモリ２のカメラ機能状態保持領域５にカメラ機能無効状態とカメラ機能有効状態のいずれが記憶されているか判定する（ステップ３−１）。
この判定で、カメラ機能状態保持領域５にカメラ機能有効状態が格納されていれば、ＵＩ処理部１は、操作部１３から入力された指示に従って、外部入出力処理部６を介してカメラ制御部１２にカメラ９を起動させたり、撮影させたりする。
ステップ３−１で、カメラ機能状態保持領域５にカメラ機能無効状態が格納されていれば、ＵＩ処理部１は、外部入出力処理部６にカメラ機能を起動させたり、撮影を行ったりするための指示をせずに、処理を終了する。
【００１９】
次に、実施の形態１に係る携帯電話機において、カメラの持ち込みを禁止する施設を退場するときのカメラ機能有効化動作を図１、及び図４のフローチャートを用いて説明する。
【００２０】
まず、所有者がカメラの持ち込みを禁止する施設を退場するときにカメラ機能を有効にしようと操作部１３を操作すると、ＵＩ処理部１は表示部１６に『カメラ機能有効化』を含むメニューリストを表示させる。所有者が操作部１３を操作してメニューリストから『カメラ機能有効化』を選択すると、ＵＩ処理部１は表示部１６に『第三者パスワードを入力してください』と表示させて、第三者パスワードの入力待ちになる。
【００２１】
第三者が操作部１３を操作してパスワードが入力される（ステップ４−１）と、ＵＩ処理部１は、入力されたパスワードと内部メモリ２の第三者パスワード保持領域４に保持されている第三者パスワードを比較する（ステップ４−２）。この比較で、第三者パスワードが一致しなければ、処理を終了する。
【００２２】
ステップ４−２で、第三者パスワードが一致すれば、ＵＩ処理部１は、内部メモリ２のカメラ機能状態保持領域５にカメラ機能有効状態を記憶させる（ステップ４−３）。
ＵＩ処理部１は、表示部１６に、カメラ機能無効アイコンの表示を消去させる（ステップ４−４）。
【００２３】
このように、カメラの持ち込みを禁止する施設が、所有者の知らない第三者パスワードを、所有者の携帯電話機に設定するようにし、カメラの持ち込みを禁止する施設が第三者パスワードを入力するまでカメラ機能を有効にできないようにしたので、所有者が勝手に第三者パスワードを入力してカメラ機能を有効にするのを防ぐことができる。
【００２４】
また、カメラの持ち込みを禁止する施設に入るときに携帯電話機のカメラ機能を無効にする処理を行い、カメラ機能を起動できないようにしたので、携帯電話機をカメラの持ち込みを禁止する施設へ持ち込むことができるようになり、所有者はカメラ機能以外の携帯電話機の機能を使用することができるようになる。
【００２５】
上記実施の形態１では、第三者のパスワードを手動で入力しているため、他人が悪戯でカメラ機能を無効にすることを防止するため、所有者パスワードを入力するようにしている。しかし、外部機器１７から第三者パスワード入力であることを示す信号と第三者パスワードを携帯電話機の通信装置８に送信してカメラ機能を無効にするようにすれば、他人は悪戯し難くなるので、この場合はカメラの所有者パスワードの入力を省略してもよい。この場合、第三者パスワード入力には『第三者パスワード入力中です』などを表示するようにすればよい。
【００２６】
また、上記実施の形態１では、第三者パスワードの入力でカメラ機能を無効及び有効にしたが、外部機器１７からカメラ機能を無効及び有効にする信号を送信するようにしてもよい。この場合、通信装置８が通信装置制御部１１、外部入出力処理部６を介してカメラ機能を無効及び有効にする信号をＵＩ処理部１へ受け渡し、この信号を受けたＵＩ処理部１は、受けた信号に基づいてカメラ機能を無効又は有効にする。
【００２７】
実施の形態２．
実施の形態２では、コンサートなど携帯電話機の所有者が施設内にいる時間が決まっているような場合に、カメラ機能の無効化処理をカメラの持ち込みを禁止する施設に入場するときに行い、カメラの有効化処理をカメラの持ち込みを禁止する施設に入場してから所定時間経過したときに行う。
【００２８】
まず、実施の形態２に係る携帯電話機において、カメラの持ち込みを禁止する施設に入場するときのカメラ機能無効化動作を図１、及び図５のフローチャートを用いて説明する。ここでは、通信装置８を非接触ＩＣカードとして説明する。
【００２９】
まず、携帯電話機を所有する所有者がカメラの持ち込みを禁止する施設に入場しようとするとき、所有者が施設に設置された外部機器１７に携帯電話機をかざすと、外部機器１７と通信装置８との間で通信が接続され、外部機器１７からカメラ機能を無効にするためのカメラ無効信号と、カメラ機能を無効にするカメラ無効時間が送信される。
通信装置８はカメラ無効信号及びカメラ無効時間を受信する（ステップ５−１、ステップ５−２）と、通信装置制御部１１、外部入出力処理部６を介してカメラ無効信号及びカメラ無効時間をＵＩ処理部１へ受け渡す。
【００３０】
ＵＩ処理部１は、カメラ無効信号及びカメラ無効時間を受け取り、タイマ制御部１８にカメラ無効時間を指定すると、タイマ制御部１８はカメラ無効時間を計測するタイマを起動する（ステップ５−３）。また、ＵＩ処理部１は、内部メモリ２のカメラ機能状態保持領域５にカメラ機能無効状態を記憶させ（ステップ５−４）、表示部１６にカメラ機能無効アイコンを表示させる（ステップ５−５）。
【００３１】
実施の形態２に係る携帯電話機におけるカメラ機能無効中の動作は、実施の形態１と同様である。
【００３２】
次に、実施の形態２に係る携帯電話機において、所有者がカメラの持ち込みを禁止する施設に入場してからカメラ無効時間が経過したときのカメラ機能有効化動作を図１、及び図６のフローチャートを用いて説明する。
【００３３】
タイマ制御部１８は、ステップ５−３で計測されていたカメラ無効時間が経過すると、ＵＩ処理部１へカメラ無効時間の経過を通知する。
ＵＩ処理部１は、カメラ無効時間の経過の通知を受ける（ステップ６−１）と、内部メモリ２のカメラ機能状態保持領域５にカメラ機能有効状態を記憶させ、（ステップ６−２）、表示部１６に、カメラ機能無効アイコンの表示を消去させる（ステップ６−３）。
【００３４】
このように、第三者がカメラ機能無効時間を指定して携帯電話機のカメラ機能を無効にするようにしたので、カメラ無効時間が経過するまでは携帯電話機の所有者が勝手にカメラ機能を有効にすることを防ぐことができる。
【００３５】
また、実施の形態２に係る携帯電話機において、カメラの持ち込みを禁止する施設を退場するときのカメラ機能有効化動作を図１、及び図７のフローチャートを用いて説明する。
【００３６】
携帯電話機を所有する所有者がカメラの持ち込みを禁止する施設を退場しようとするとき、所有者が施設に設置された外部機器１７に携帯電話機をかざすと、外部機器１７と通信装置８との間で通信が接続され、外部機器１７からカメラ機能を有効にするためのカメラ有効信号が送信される。
通信装置８はカメラ有効信号を受信する（ステップ７−１）と、通信装置制御部１１、外部入出力処理部６を介してカメラ有効信号をＵＩ処理部１へ受け渡す。
【００３７】
ＵＩ処理部１は、カメラ有効信号を受け取ると、タイマ制御部１８にカメラ無効時間の計測を中止させる（ステップ７−２）。また、ＵＩ処理部１は、内部メモリ２のカメラ機能状態保持領域５にカメラ機能有効状態を記憶させ（ステップ７−３）、表示部１６にカメラ機能無効アイコンの表示を消去させる（ステップ７−４）。
【００３８】
このように、携帯電話機を所有する所有者がカメラの持ち込みを禁止する施設を退場するときに、第三者がカメラ無効時間を解除し、カメラ機能を有効にさせるようにしたので、カメラ無効時間が経過していないうちに所有者が施設を退場しても、所有者は施設退場後すぐにカメラ機能を使用できるようになる。
【００３９】
上記実施の形態２では、外部機器１７からカメラを無効又は有効にする信号を受信するようにしたが、実施の形態１のように第三者のパスワードを入力するようにしてもよい。また、この場合のパスワード入力は手動入力してもよく、外部機器１７から送信入力してもよい。
【００４０】
上記実施の形態１及び２では、カメラ機能状態保持領域５に格納されているカメラ機能無効状態又はカメラ機能有効状態によって、カメラ機能を無効又は有効に切り替えるようにしたが、ステップ２−５又はステップ５−４で、ＵＩ処理部１が外部入出力処理部６を介してカメラ制御部１２にカメラ９への電源供給を遮断させることによってカメラ機能を無効にするようにしてもよい。これによって、カメラ９に対する不要な消費電流を低減することもできる。
【産業上の利用可能性】
【００４１】
上記実施の形態１及び２では、カメラ付き携帯機器として携帯電話機等の通信端末を用いて説明したが、ＰＤＡ等の情報端末装置などカメラ機能を搭載した携帯機器であればどのような携帯機器にも適用できる。
【図面の簡単な説明】
【００４２】
【図１】実施の形態１及び２に係るカメラ付き携帯機器としての携帯電話機のブロック構成図である。
【図２】実施の形態１に係る携帯電話機において、カメラの持ち込みを禁止する施設に入場するときのカメラ機能無効化動作を説明するフローチャートである。
【図３】実施の形態１及び２に係る携帯電話機において、カメラ無効中の動作を説明するフローチャートである。
【図４】実施の形態１に係る携帯電話機において、カメラの持ち込みを禁止する施設を退場するときのカメラ機能有効化動作を説明するフローチャートである。
【図５】実施の形態２に係る携帯電話機において、カメラの持ち込みを禁止する施設に入場するときのカメラ機能無効化動作を説明するフローチャートである。
【図６】実施の形態２に係る携帯電話機において、カメラ無効時間が経過したときのカメラ機能有効化動作を説明するフローチャートである。
【図７】実施の形態２に係る携帯電話機において、カメラの持ち込みを禁止する施設を退場するときのカメラ機能有効化動作を説明するフローチャートである。
【符号の説明】
【００４３】
１  ＵＩ処理部
２  内部メモリ
４  第三者パスワード保持領域
５  カメラ機能状態保持領域
８  通信装置
９  カメラ
１３  操作部
１７  外部機器
１８  タイマ制御部
【図１】
2006196964.tif 000003
【図２】
2006196964.tif 000004
【図３】
2006196964.tif 000005
【図４】
2006196964.tif 000006
【図５】
2006196964.tif 000007
【図６】
2006196964.tif 000008
【図７】
2006196964.tif 000009